(57)【要約】【課題】操作性と操作感を低下させずに操作音を小さくした回転操作ユニット及びそれを備える電子機器を提供する。【解決手段】クリック感を発生させるための凹凸部が所定の角度間隔で形成されるダイヤルベース３０５と、凹部が形成されるとともに、ダイヤルベース３０５に回転操作可能に支持される回転操作部材３０１と、凹凸部に当接するように、凹部３０１ｄに収納されるクリックボール３０２と、凹凸部にクリックボール３０２を付勢するように、凹部３０１ｄに収納されるクリックスプリング３０３と、凹部３０１ｄにクリックボール３０２及びクリックスプリング３０３を収納した後、回転操作部材３０１に取り付けられて凹部３０１ｄの上面を塞ぐダイヤルキャップ３０４とを有し、凹部３０１ｄがダイヤルベース３０５とダイヤルキャップ３０４により密閉される構造とする。【選択図】図４
2014056480.tif 000002
【特許請求の範囲】
【請求項１】
クリック感を発生させるための凹凸部が所定の角度間隔で形成されるベース部材と、
凹部が形成されるとともに、前記ベース部材に回転操作可能に支持される回転操作部材と、
前記凹凸部に当接するように、前記凹部に収納されるボール部材と、
前記凹凸部に前記ボール部材を付勢するように、前記凹部に収納される弾性部材と、
前記凹部に前記ボール部材及び前記弾性部材を収納した後、前記回転操作部材に取り付けられて前記凹部の上面を塞ぐ蓋部材とを有し、
前記凹部は前記ベース部材と前記蓋部材により密閉されることを特徴とする回転操作ユニット。
【請求項２】
前記回転操作部材には軸部が形成されるとともに、前記蓋部材には凸部が形成され、前記軸部及び前記凸部が前記ベース部材に回転操作可能に支持されることを特徴とする請求項１に記載の回転操作ユニット。
【請求項３】
前記ボール部材が前記弾性部材によって付勢される位置と、前記ベース部材が前記回転操作部材を支持する位置とが、前記回転操作部材のスラスト方向で重ならないことを特徴とする請求項１又は２に記載の回転操作ユニット。
【請求項４】
回転操作ユニットを備える電子機器であって、
前記回転操作ユニットは、
クリック感を発生させるための凹凸部が所定の角度間隔で形成されるベース部材と、  凹部が形成されるとともに、前記ベース部材に回転操作可能に支持される回転操作部材と、
前記凹凸部に当接するように、前記凹部に収納されるボール部材と、
前記凹凸部に前記ボール部材を付勢するように、前記凹部に収納される弾性部材と、  前記凹部に前記ボール部材及び前記弾性部材を収納した後、前記回転操作部材に取り付けられて前記凹部の上面を塞ぐ蓋部材とを有し、
前記凹部は前記ベース部材と前記蓋部材により密閉されることを特徴とする電子機器。
【請求項５】
前記回転操作部材には軸部が形成されるとともに、前記蓋部材には凸部が形成され、前記軸部及び前記凸部が前記ベース部材に回転操作可能に支持されることを特徴とする請求項４に記載の電子機器。
【請求項６】
前記ボール部材が前記弾性部材によって付勢される位置と、前記ベース部材が前記回転操作部材を支持する位置とが、前記回転操作部材のスラスト方向で重ならないことを特徴とする請求項４又は５に記載の電子機器。
【発明の詳細な説明】
【技術分野】
【０００１】
本発明は、回転操作ユニット及びそれを備える電子機器に関する。
【背景技術】
【０００２】
被写体像を電気信号に変換して撮像するデジタルカメラ等の電子機器では、撮影光束を受光したＣＣＤセンサやＣＭＯＳセンサ等の撮像素子から出力される光電変換信号を画像データに変換して、メモリカード等の記録媒体に記録している。このような撮像装置では、一般的に、デジタルカメラの上面または背面に撮影条件等の情報設定を行うための回転操作部材が配置されている。
【０００３】
回転操作部材としては、無制限に回転する機構を備え、所定角度回転させることでモード設定やコマンド設定を行うことができ、撮影待機状態では、シャッタ速度や絞り数値等の設定値を変更することができる。このような回転操作部材では、例えば、回転自在なクリック板の外周に凹凸を形成し、クリックスプリングによりクリックボールをクリック板の凹凸に押圧したクリック感発生機構を設けて、操作性と操作感を高めている（特許文献１参照）。
【先行技術文献】
【特許文献】
【０００４】
【特許文献１】特開２００３−８７６２２号公報
【発明の概要】
【発明が解決しようとする課題】
【０００５】
近年、電子機器の一例であるデジタル一眼レフカメラに対して、動画撮影機能のニーズが高まっており、動画撮影時の操作部材の操作音の静音化が求められている。このような要求に対して、上記特許文献１に記載された技術に係る回転操作ユニットでは、クリックスプリングとクリックボールが電子機器の内部で露出しているため、クリック板とクリックボールの衝突音等の回転操作時の操作音が大きいという問題がある。
【０００６】
本発明は、操作性と操作感を低下させることなく、操作音を小さくした回転操作ユニット及びそれを備える電子機器を提供することを目的とする。
【課題を解決するための手段】
【０００７】
本発明に係る回転操作ユニットは、クリック感を発生させるための凹凸部が所定の角度間隔で形成されるベース部材と、凹部が形成されるとともに、前記ベース部材に回転操作可能に支持される回転操作部材と、前記凹凸部に当接するように、前記凹部に収納されるボール部材と、前記凹凸部に前記ボール部材を付勢するように、前記凹部に収納される弾性部材と、前記凹部に前記ボール部材及び前記弾性部材を収納した後、前記回転操作部材に取り付けられて前記凹部の上面を塞ぐ蓋部材とを有し、前記凹部は前記ベース部材と前記蓋部材により密閉されることを特徴とする。
【発明の効果】
【０００８】
本発明によれば、操作性と操作感を低下させることなく、回転操作部材の回転操作音を小さくすることができる。これにより、例えば、デジタルカメラなどの電子機器では、動画撮影時に回転操作部材を操作しても、回転操作音が動画に録音され難くなり、動画の品質を高めることができる。
【図面の簡単な説明】
【０００９】
【図１】本発明の実施形態に係るカメラ（デジタル一眼レフカメラ）の外観構成を示す正面側斜視図及び背面側斜視図である。
【図２】本発明の実施形態に係るカメラの主要な電気的構成を示すブロック図である。
【図３】図１に示すメイン電子ダイヤルを含むダイヤルユニットの構造を示す正面斜視図及び断面図である。
【図４】図４に示すダイヤルユニットの正面側分解斜視図である。
【図５】図４に示すダイヤルユニットの背面側分解斜視図である。
【図６】図４に示すダイヤルユニットが備えるダイヤル部材の凹部にクリックボールとクリックスプリングを組み込んだ状態を示正面図、背面図及び断面図である。
【発明を実施するための形態】
【００１０】
以下、本発明の実施形態について、添付図面を参照して詳細に説明する。ここでは、本発明に係る電子機器として、デジタル一眼レフカメラ（以下「カメラ」と略記する）を取り上げることとするが、本発明はこれに限定されるものではない。
【００１１】
＜カメラの概略構造＞
図１は、本発明の実施形態に係るカメラの外観構成を示す斜視図である。図１（ａ）は正面側（被写体側）斜視図であり、図１（ｂ）は背面側（撮影者側）斜視図である。なお、図１には、カメラ本体１から撮影レンズユニット２００ａ（図２参照）を取り外した状態を示している。
【００１２】
図１（ａ）に示すように、カメラ本体１の正面中央部には、撮影レンズユニット２００ａが着脱されるマウント部２が設けられている。マウント部２には、カメラ本体１と撮影レンズユニット２００ａとの間で制御信号、状態信号及びデータ信号等の通信を可能にし、撮影レンズユニット側に電力を供給するマウント接点３が設けられている。カメラ本体１の正面のマウント部２に近接した位置には、マウント部２に装着された撮影レンズユニット２００ａを取り外すときに押下するレンズロック解除ボタン４が配置されている。
【００１３】
カメラ本体１の内部には、撮影レンズ２００（図２参照）を通過した撮影光束が導かれるミラーボックス２０が設けられている。ミラーボックス２０の内部には、撮影光束を所定の方向に反射させるメインミラー（クイックリターンミラー）６が配置されている。メインミラー６の配置と動きについては、図２を参照して後述する。
【００１４】
カメラ本体１には、撮影者がカメラ本体１を保持するためのグリップ部９が設けられており、グリップ部９の上側には、撮影者がカメラに対して撮影を指示するためのレリーズボタン１０が設けられている。レリーズボタン１０の詳細な機能については、図２を参照して後述する。
【００１５】
カメラ本体１の上部には、ストロボ装置等のカメラアクセサリを取り付けるためのシュー溝１２と接点１３が設けられている。また、カメラ本体１の上部には、撮影モードを設定するための回転操作部材である撮影モード設定ダイヤル３２０と、シャッタ速度や絞り数値等の設定値を変更するための回転操作部材であるメイン電子ダイヤルユニット３１０が設けられている。
【００１６】
カメラ本体１の正面から見て右側には、不図示の外部機器端子コネクタを保護する端子カバー１６が設けられている。なお、外部端子コネクタとは、図２を参照して後述する外部インタフェース４０に相当する。
【００１７】
図１（ｂ）に示すように、カメラ本体１の上部背面側には、撮影モード設定ダイヤル３２０に近接して、カメラの動作のＯＮ／ＯＦＦを切り換える電源スイッチ５０１が配置されている。また、カメラ本体１の背面には、メインミラー６により反射された撮像光束を撮影者が観察できるファインダ接眼窓１４が設けられており、その下側の背面中央付近には、画像表示可能なカラー液晶モニタ１５が設けられている。カメラ本体１の背面には、撮影者がグリップしたときに親指での操作が可能な位置に、回転操作部材であるサブ電子ダイヤル３１５が配置されている。
【００１８】
カメラ本体１の正面から見て左側には不図示の記録メディアを挿抜する際に開閉されるメディアカバー１７が設けられている。なお、記録メディアは、図２を参照して後述する外部メモリ３９に相当する。また、カメラ底面には、カメラへの電力を供給する不図示の電池（図２の電源４２に相当する）を収納する電池室の開口部を開閉する電池蓋１８が設けられている。
【００１９】
図２は、図１に示したカメラの主要な電気的構成を示すブロック図である。なお、図２では、図１に示したカメラの構成要素と同じ構成要素については、同じ符号を付しており、後に参照する図３乃至図６についても、同様とする。
【００２０】
カメラ本体１に内蔵されたマイクロコンピュータからなる中央処理装置（以下「ＭＰＵ」という）１００は、カメラの動作制御を司り、カメラの各構成要素に対して様々な処理や指示を実行する。ＭＰＵ１００に内蔵されたＥＥＰＲＯＭ１００ａは、時刻計測回路１０９の計時情報やその他の情報を記憶する。
【００２１】
ＭＰＵ１００には、ミラー駆動回路１０１、焦点検出回路１０２、シャッタ駆動回路１０３、画像信号処理回路１０４、スイッチセンス回路１０５、測光回路１０６、ストロボ駆動回路１１３が接続されている。ストロボ駆動回路１１３により、ストロボユニット５０４の動作が制御される。また、ＭＰＵ１００には、ＭＰＵ１００の制御により動作する、液晶表示駆動回路１０７、バッテリチェック回路１０８、時刻計測回路１０９、電力供給回路１１０、圧電素子駆動回路１１１が接続されている。
【００２２】
ＭＰＵ１００は、撮影レンズユニット２００ａ内のレンズ制御回路２０１とマウント接点３を介して通信を行う。マウント接点３は、マウント部２に撮影レンズユニット２００ａが接続されると、ＭＰＵ１００へ信号を送信する機能を有する。これにより、レンズ制御回路２０１は、ＭＰＵ１００との間で通信を行い、ＡＦ駆動回路２０２及び絞り駆動回路２０３を介して、撮影レンズユニット２００ａ内の撮影レンズ２００及び絞り２０４の駆動を行う。なお、図２では便宜上１枚の撮影レンズ２００のみを図示しているが、実際は多数のレンズ群によって構成される。
【００２３】
ＡＦ駆動回路２０２は、例えば、ステッピングモータによって構成され、レンズ制御回路２０１の制御により撮影レンズ２００を構成するフォーカスレンズの位置を光軸方向で変化させ、撮像素子３３に撮影光束の焦点を合わせるように調整する。絞り駆動回路２０３は、例えば、オートアイリス等によって構成され、レンズ制御回路２０１の制御により絞り２０４を変化させ、光学的な絞り値を得る。
【００２４】
メインミラー６は、撮影光軸５０に対して４５°の角度に保持される状態と、撮像素子３３の方向に導くように撮影光束から退避した位置に保持される状態との間で移動可能となっている。メインミラー６は、撮影光軸５０に対して４５°の角度に保持された状態で、撮影レンズ２００を通過する撮影光束をペンタダハミラー２２へ導くと共に、その一部を透過させてサブミラー３０へ導く。サブミラー３０は、メインミラー６を透過した撮影光束を焦点検出センサユニット３１へ導く。
【００２５】
ミラー駆動回路１０１は、例えば、ＤＣモータとギヤトレイン等によって構成され、メインミラー６を、ファインダにより被写体像を観察可能とする位置と、撮影光束から待避する位置との間で移動させる。メインミラー６が移動すると同時に、サブミラー３０は、焦点検出センサユニット３１へ撮影光束を導く位置と撮影光束から待避する位置との間で移動する。
【００２６】
焦点検出センサユニット３１は、不図示の結像面近傍に配置されたフィールドレンズ、反射ミラー、２次結像レンズ、絞り、複数のＣＣＤからなるラインセンサ等によって構成され、位相差方式の焦点検出を行う。焦点検出センサユニット３１から出力される信号は、焦点検出回路１０２へ供給され、被写体像信号に換算された後、ＭＰＵ１００に送信される。ＭＰＵ１００は、被写体像信号に基づいて位相差検出法による焦点検出演算を行い、デフォーカス量とデフォーカス方向を求める。そして、ＭＰＵ１００は、算出したデフォーカス量とデフォーカス方向に基づいてレンズ制御回路２０１とＡＦ駆動回路２０２を制御して、撮影レンズ２００のフォーカスレンズを合焦位置へ移動させる。
【００２７】
ペンタダハミラー２２は、メインミラー６により反射された撮影光束を正立正像に変換反射する。撮影者はファインダ光学系を介してファインダ接眼窓１４から被写体像を観察することができる。ペンタダハミラー２２は、撮影光束の一部を測光センサ４６へ導く。測光回路１０６は、測光センサ４６の出力を得て、観察面上の各エリアの輝度信号に変換し、ＭＰＵ１００に出力する。ＭＰＵ１００は、輝度信号に基づいて露出値を算出する。
【００２８】
シャッタユニット３２は、ここでは、機械フォーカルプレーンシャッタであり、撮影者がファインダにより被写体像を観察しているときには、シャッタ先幕が遮光位置にあると共に、シャッタ後幕が露光位置にある。撮影時には、シャッタ先幕が遮光位置から露光位置へ移動する露光走行を行って被写体からの光を通過させ、撮像素子３３で撮像を行う。所望のシャッタ秒時の経過後、シャッタ後幕が露光位置から遮光位置へ移動する遮光走行を行って撮影を完了する。シャッタユニット３２は、ＭＰＵ１００の指令を受けたシャッタ駆動回路１０３により制御される。
【００２９】
撮像ユニット４００は、主に、光学ローパスフィルタ４１０と、圧電素子４３０と、撮像素子保持部材４２０と、撮像素子３３とがユニット化されたものである。被写体像を光電変換する撮像素子３３には、本実施形態ではＣＭＯＳセンサが用いられるものとする。但し、これに限定されず、ＣＣＤ型、ＣＩＤ型等のいずれの型の撮像素子を採用しても構わない。撮像素子３３の前方に配置された光学ローパスフィルタ４１０は、水晶からなる１枚の複屈折板であり、その形状は矩形状である。圧電素子４３０は、単板の圧電素子（ピエゾ素子）であり、ＭＰＵ１００の指示を受けた圧電素子駆動回路１１１により加振され、その振動を光学ローパスフィルタ４１０に伝え、光学ローパスフィルタ４１０を振動させる。
【００３０】
撮像素子３３から出力されるアナログ信号は、クランプ／ＣＤＳ（相関二重サンプリング）回路３４へ入力される。クランプ／ＣＤＳ回路３４は、Ａ／Ｄ変換前の基本的なアナログ処理を行い、クランプレベルを変更することも可能である。クランプ／ＣＤＳ回路３４で処理され、出力されたアナログ信号は、ＡＧＣ（自動利得調整装置）３５へ入力され、ＡＧＣ３５は、受信したアナログ信号に対してＡ／Ｄ変換前の基本的なアナログ処理を行う。なお、ＡＧＣ３５は、ＡＧＣ基本レベルを変更することが可能である。ＡＧＣ３５で処理され、出力されたアナログ信号は、Ａ／Ｄ変換器３６へ入力され、Ａ／Ｄ変換器３６は、受信したアナログ信号をデジタル信号に変換し、画像信号処理回路１０４へ出力する。
【００３１】
画像信号処理回路１０４は、デジタル化された画像データに対してガンマ／ニー処理、フィルタ処理、モニタ表示用の情報合成処理等、ハードウエアによる画像処理全般を実行する。画像信号処理回路１０４から出力されるモニタ表示用の画像データは、カラー液晶駆動回路１１２を介してカラー液晶モニタ１５に表示される。また、画像信号処理回路１０４は、ＭＰＵ１００の指示に従って、メモリコントローラ３８を通じてバッファメモリ３７に画像データを保存する。さらに、画像信号処理回路１０４は、ＪＰＥＧ等の画像データ圧縮処理を行う。連写撮影等、連続して撮影が行われる場合は、画像信号処理回路１０４は、一旦、バッファメモリ３７に画像データを格納し、メモリコントローラ３８を通して未処理の画像データを順次読み出すことができる。これにより、画像信号処理回路１０４は、Ａ／Ｄ変換器３６から入力されてくる画像データの速度に関わらず、画像処理や圧縮処理を順次行うことができる。
【００３２】
メモリコントローラ３８は、外部インタフェース４０から入力される画像データを外部メモリ３９に記憶し、逆に、外部メモリ３９に記憶されている画像データを外部インタフェース４０へ出力する。外部インタフェース４０は、例えば、ＨＤＭＩコネクタやＵＳＢコネクタ等である。外部メモリ３９としては、カメラ本体１に着脱可能なフラッシュメモリ等が用いられる。
【００３３】
カメラ本体１に設けられたスイッチセンス回路１０５は、カメラ本体１に設けられた各種のスイッチの操作状態に応じて、入力信号をＭＰＵ１００に送信する。スイッチセンス回路１０５には、一例として、レリーズボタン１０、メイン電子ダイヤルユニット３１０、撮影モード設定ダイヤル３２０、電源スイッチ５０１が接続されている。レリーズボタン１０は、第１ストローク（半押し）によりＯＮするスイッチＳＷ１＿１０ａと、第２ストローク（全押し）によりＯＮするスイッチＳＷ２＿１０ｂとを有する。スイッチＳＷ２＿１０ｂがＯＮされると、撮影開始の指示がＭＰＵ１００に送信される。
【００３４】
カメラ本体１において、液晶表示駆動回路１０７は、ＭＰＵ１００の指示に従って、モノクロ液晶表示器７０８を駆動する。また、バッテリチェック回路１０８は、ＭＰＵ１００の指示に従って、バッテリチェックを行い、その検出結果をＭＰＵ１００に送信する。カメラ本体１の各構成要素に対する電源の供給は、電源４２によって行われる。電源４２は、各種の電池或いはＡＣアダプタである。時刻計測回路１０９は、電源スイッチ５０１がＯＦＦされて次にＯＮされるまでの時間や日付を計測し、ＭＰＵ１００からの指示に従って、計測結果をＭＰＵ１００に送信する。
【００３５】
＜メイン電子ダイヤルユニット３１０の構造＞
カメラ本体１に設けられた回転操作ユニットの１つであるメイン電子ダイヤルユニット３１０の構造について、以下に、詳細に説明する。なお、図１に示したように、メイン電子ダイヤルユニット３１０は、グリップ部９を把持しているときに、回転操作部材３０１を人差し指で回転操作を行うことができる位置に配置されている。撮影待機状態で回転操作部材３０１を操作することにより、シャッタ速度や絞り数値の設定の変更を行うことができる。また、メイン電子ダイヤルユニット３１０は、カラー液晶モニタ１５に表示されるメニューのコマンド操作、撮影画像、撮影動画の選択操作にも用いられる。
【００３６】
図３は、メイン電子ダイヤルユニット３１０の構造を示す図である。図３（ａ）は正面斜視図であり、図３（ｂ）は（ａ）中の矢視Ｍ−Ｍ断面図である。図４は、図３に示すメイン電子ダイヤルユニット３１０の構造を正面側から見て示す分解斜視図であり、図５は、図３に示すメイン電子ダイヤルユニット３１０の構造を背面側から見て示す分解斜視図である。
【００３７】
メイン電子ダイヤルユニット３１０の被写体側には、レリーズボタン１０と、レリーズスイッチ６０１と、レリーズベース部材６０２とから構成されるレリーズユニット６００が配置されている。円板状の回転操作部材３０１には凹部３０１ｄが設けられており、回転操作部材３０１の外周にはローレットが形成されて、操作時に摩擦を確保できるようになっている。本実施形態では、回転操作部材３０１は、軸部３０１ｅと凹部３０１ｄとが合成樹脂材料（例えば、ポリカーボネート）で、外周側がエラストマ（例えば、合成ゴム、熱可塑性エラストマ）で形成されており、これにより、耐久性と操作性とを両立させている。なお、回転操作部材３０１を構成する合成樹脂材料とエラストマは、二色成型により形成されていてもよい。
【００３８】
回転操作部材３０１に形成された凹部３０１ｄには、クリックボール３０２が嵌め込まれた後にクリックスプリング３０３が組み込まれ、これにより、クリックスプリング３０３はクリックボール３０２を回転操作部材３０１の外周側に付勢する。ボール部材としてのクリックボール３０２は、金属材料又は合成樹脂材料等で形成される球体である。弾性部材としてのクリックスプリング３０３は、圧縮コイルバネ等で構成される。
【００３９】
凹部３０１ｄにクリックボール３０２とクリックスプリング３０３を組み込んだ後に、凹部３０１ｄの上面を塞ぐ蓋部材であるダイヤルキャップ３０４をビス３３０ａ，３３０ｂにより２カ所でビス留めする。これにより、クリックボール３０２とクリックスプリング３０３の凹部３０１ｄからの脱落が防止される。以下の説明では、回転操作部材３０１にクリックボール３０２とクリックスプリング３０３が組み込まれ、ダイヤルキャップ３０４がビス３３０ａ，３３０ｂにより取り付けられた構造体を、ダイヤル構造体３００と称することとする。
【００４０】
図６は、ダイヤル構造体３００の構造を示す図である。図６（ａ）は背面図であり、図６（ｂ）は（ａ），（ｃ）に示す矢視Ｎ−Ｎ断面図であり、図６（ｃ）は正面図であり、図６（ｄ）は（ｂ）中のＰ部の拡大図である。
【００４１】
クリックボール３０２の直径をＳ、回転操作部材３０１の凹部３０１ｄのカメラ背面側の開口部径をＲとすると、Ｓ＞Ｒの関係が成り立つ構成となっている。このため、クリックスプリング３０３を付勢しながら凹部３０１ｄに組み込むときに、クリックボール３０２が背面側から脱落することはない。また、凹部３０１ｄへクリックスプリング３０３の組み込むときには、図６（ｄ）に示すように、クリックスプリング３０３の長さＬ１が、使用状態（図３（ｂ）参照）のときの長さＬ２よりも長く、付勢力が小さい状態となっている。そのため、ダイヤルキャップ３０４をビス３３０ａ，３３０ｂで回転操作部材３０１に取り付ける作業の際に、クリックスプリング３０３が不用意には飛び出し難くなっており、組立作業性のよい構造となっている。
【００４２】
図３（ｂ）に示すように、ダイヤル構造体３００は、ベース部材となるダイヤルベース３０５の中央に設けられた貫通穴に、回転操作部材３０１に形成される軸部３０１ｅを挿入する。軸部３０１ｅはダイヤルベース３０５の中央に設けられた貫通穴に回転操作可能に支持され、軸部３０１ｅはダイヤル構造体３００の回転軸として機能する。これによって、回転操作部材３０１を含むダイヤル構造体３００はダイヤルベース３０５に回転操作可能に支持される。このとき、ダイヤルベース３０５に設けられたリング状突起３０５ａがクリックボール３０２を嵌合軸方向に押し上げ、リング状突起３０５ａの内面に所定の角度間隔で形成された凹凸部に対して押圧された状態にセットされる。図４に示すように、リング状突起３０５ａの内面には所定の角度間隔で複数箇所（ここでは１２箇所）の凹部を設けており、所定の角度（ここでは３０°）毎にクリック感が得られるようになっている。
【００４３】
ダイヤルベース３０５の背面側に配置される電子ダイヤル接片３０６は、その背面側に配置される接片保持部材３０７に対して、熱カシメにより固定されている。なお、電子ダイヤル接片３０６の固定方法は、熱カシメに限定されず、例えば、粘着テープ、接着剤による固定方法を用いてもよい。
【００４４】
図５に示すように、ダイヤルベース３０５の背面にはダイヤルフレキシブルプリント基板３０８が、粘着テープ等で固定されている。接片保持部材３０７に固定された電子ダイヤル接片３０６は、回転操作部材３０１の軸部３０１ｅの先端に設けられた２カ所の突起３０１ａ，３０１ｂによって位置決めされてビス３３１によりビス留めされることで、ダイヤル構造体３００に固定される。こうして、電子ダイヤル接片３０６がダイヤルフレキシブルプリント基板３０８のパターン面に接することで、スイッチが形成される。
【００４５】
図４及び図５に示すように、ダイヤルベース３０５は、ビス３３２ａ，３３２ｂにより、レリーズベース部材６０２に固定され、さらにビス３３３ａ，３３３ｂ，３３３ｃにより、不図示の外装カバーに固定される。こうして、カメラ本体１でのメイン電子ダイヤルユニット３１０の操作が可能となる。
【００４６】
以上の説明の通り、本実施形態では、クリックボール３０２とクリックスプリング３０３は、回転操作部材３０１、ダイヤルキャップ３０４、ダイヤルベース３０５により密閉された構成になっている。そのため、メイン電子ダイヤルユニット３１０の操作時にダイヤル構造体３００がクリック動作を行いながら回転しても、クリックボール３０２とリング状突起３０５ａの内面に所定の角度間隔で形成された凹凸面との衝突等によって発生する音が外部に伝わり難い。したがって、動画撮影中にメイン電子ダイヤルユニット３１０を操作しても、その操作音が撮影された動画の音声に混入し難く、動画の画質を高く維持することができる。
【００４７】
また、本実施形態では、クリックボール３０２がクリックスプリング３０３によって付勢される位置と、回転操作部材３０１の軸部３０１ｅとダイヤルベース３０５の穴とが嵌合する嵌合部の位置とを、回転操作部材３０１のスラスト方向で重ならない構成としている。仮に、クリック動作部と嵌合部がラスト方向で重なった構成ではダイヤル径が大きくなってしまう。しかし、本実施形態のようにクリック動作部と嵌合部をラスト方向でオフセットさせることで、ダイヤル径を任意に設計することが可能になり、操作性を最適化することができる。
【００４８】
なお、本実施形態のように、クリック動作部と嵌合部とをスラスト方向でオフセットさせた場合、回転操作部材３０１を操作するときの力によって、ダイヤル構造体３００が倒れる懸念がある。本実施形態では、ダイヤル構造体３００の倒れ対策として、レリーズベース部材６０２の背面側に補助嵌合凹部６０２ａを形成し、ダイヤルキャップ３０４の正面側に補助嵌合凸部３０４ａを形成している。そして、補助嵌合凸部３０４ａは補助嵌合凹部６０２ａに回転可能に支持される。これによって、補助嵌合凸部３０４ａはダイヤル構造体３００の回転軸として機能する。このとき、レリーズベース部材６０２はベース部材として機能している。また、回転操作部材３０１の正面側に複数の突起部３０１ｃを設け、突起部３０１ｃがスラスト方向でレリーズベース部材６０２に当接する構成としている。このような構成とすることで、メイン電子ダイヤルユニット３１０の操作時におけるダイヤル構造体３００（回転操作部材３０１）の倒れを防止して、良好な操作性を維持している。
【００４９】
＜その他の実施形態＞
以上、本発明の好ましい実施形態について説明したが、本発明はこれらの実施形態に限定されず、その要旨の範囲内で種々の変形及び変更が可能である。例えば、上記実施形態では、本発明に係る電子機器としてデジタル一眼レフカメラを取り上げたが、これに限定されず、上記の回転操作部材を備えるデジタルビデオカメラや、その他の電子機器に適用することができる。
【符号の説明】
【００５０】
３００    ダイヤル構造体
３０１    回転操作部材
３０１ｃ    突起部
３０１ｄ    凹部
３０２    クリックボール（ボール部材）
３０３    クリックスプリング（弾性部材）
３０４    ダイヤルキャップ
３０４ａ    補助嵌合凸部（凸部）
３０５    ダイヤルベース（ベース部材）
３０５ａ    リング状突起
３１０    メイン電子ダイヤルユニット
６０２    レリーズベース部材（ベース部材）
６０２ａ    補助嵌合凹部
【図１】
2014056480.tif 000003
【図２】
2014056480.tif 000004
【図３】
2014056480.tif 000005
【図４】
2014056480.tif 000006
【図５】
2014056480.tif 000007
【図６】
2014056480.tif 000008